(57)【要約】【課題】通電による発熱により、抵抗値が変動したり、回路基板や周辺のチップに影響を与えることを防止可能な放熱効果の高いチップ抵抗器およびその製造方法を提供する。【解決手段】チップ状の抵抗体１と、抵抗体１の裏面に間隔を隔てて設けられた一対の電極３と、を備えているチップ抵抗器Ａ１であって、抵抗体１の一部を電極３と反対側に折り曲げられた折り曲げ片１ａを備えていることを特徴とする。【選択図】  図１
2004319874.tif 000002
【特許請求の範囲】
【請求項１】
チップ状の抵抗体と、この抵抗体の表裏いずれかの片面に間隔を隔てて設けられた複数の電極と、を備えているチップ抵抗器であって、
上記抵抗体の一部が上記複数の電極とは反対側に折り曲げられた折り曲げ片を備えていることを特徴とする、チップ抵抗器。
【請求項２】
上記折り曲げ片は、上記抵抗体の一部を、略９０度、もしくはそれを超える角度に折り曲げて形成されたものである、請求項１に記載のチップ抵抗器。
【請求項３】
上記折り曲げ片は、上記複数の電極が離間する方向に延びている、請求項１または２に記載のチップ抵抗器。
【請求項４】
上記折り曲げ片は、上記抵抗体のうち上記複数の電極が離間する方向と交差する方向における両端部のそれぞれを折り曲げることにより形成されている、請求項３に記載のチップ抵抗器。
【請求項５】
上記折り曲げ片は、上記抵抗体のうち上記複数の電極が離間する方向における両端部のそれぞれを折り曲げることにより形成されている、請求項１または２に記載のチップ抵抗器。
【請求項６】
上記折り曲げ片は、上記抵抗体の中心寄りにさらに折り曲げられている、請求項１ないし５のいずれかに記載のチップ抵抗器。
【請求項７】
上記電極上には、ハンダ層が形成されている、請求項１ないし６のいずれかに記載のチップ抵抗器。
【請求項８】
上記抵抗体のうち、上記複数の電極が離間する方向における両端面に、上記ハンダ層と一体または別体のハンダ層が形成されている、請求項７に記載のチップ抵抗器。
【請求項９】
上記抵抗体の上記電極が設けられた面のうち、上記電極間の領域を覆う絶縁層を備えている、請求項１ないし８のいずれかに記載のチップ抵抗器。
【請求項１０】
上記絶縁層の厚みは、上記電極と略同一である、請求項９に記載のチップ抵抗器。
【請求項１１】
上記絶縁層は、厚膜印刷により形成されたものである、請求項９または１０に記載のチップ抵抗器。
【請求項１２】
バー状の抵抗体材料の表面または裏面に間隔を隔てて並んだ複数の電極が設けられているバー状の抵抗器集合体を作製する工程と、
上記抵抗器集合体の長手方向に延びる端部を折り曲げることにより、この抵抗器集合体に折り曲げ片を設ける工程と、
上記抵抗器集合体をその長手方向の複数箇所において切断することにより、複数のチップ抵抗器に分割する工程と、
を有していることを特徴とする、チップ抵抗器の製造方法。
【請求項１３】
上記バー状の抵抗器集合体を作製する工程は、
プレート状の抵抗体材料の表面または裏面に、間隔を隔てて並んだ複数の導電層を形成する工程と、
これらの工程の後に上記抵抗体材料を上記バー状の抵抗体材料に分割する工程と、
を含んでいる、請求項１２に記載のチップ抵抗器の製造方法。
【請求項１４】
プレート状またはバー状の抵抗体材料の表面または裏面に、上記導電層を形成する工程と、
上記抵抗体材料をチップ状の複数の抵抗体に、打ち抜きまたは切断により分割する工程と、
上記チップ状の抵抗体の一部を折り曲げることにより、この抵抗体に折り曲げ片を設ける工程と、
を有することを特徴とする、チップ抵抗器の製造方法。
【請求項１５】
上記導電層を形成する工程は、
上記抵抗体材料の表面または裏面に絶縁層をパターン形成する工程と、
上記絶縁層が形成された面のうち、上記絶縁層が形成されていない領域に、導電層を形成する工程と、
を含んでいる、請求項１２ないし１４のいずれかに記載のチップ抵抗器の製造方法。
【請求項１６】
上記絶縁層のパターン形成は、厚膜印刷により行なう、請求項１５に記載のチップ抵抗器の製造方法。
【請求項１７】
上記導電層の形成は、メッキ処理により行なう、請求項１２ないし１６のいずれかに記載のチップ抵抗器の製造方法。
【発明の詳細な説明】
【０００１】
【発明の属する技術分野】
本願発明は、チップ抵抗器およびその製造方法に関する。
【０００２】
【従来の技術】
従来のチップ抵抗器の一例としては、図１８に示すようなものがある（特許文献１参照。）。図示されたチップ抵抗器Ｂは、金属製のチップ状の抵抗体９０の下面９０ｂに、一対の電極９１が空隙部９３を介して離間して設けられた構成を有している。各電極９１の下面には、実装時のハンダ付け性をよくするための手段として、ハンダ層９２が形成されている。
【０００３】
このチップ抵抗器Ｂは、図１９に示すような方法により製造される。まず、同図（ａ）に示すように、抵抗体９０および電極９１のそれぞれの材料として、２枚の金属板９０’，９１’を準備し、同図（ｂ）に示すように、金属板９０’の下面に金属板９１’を重ねあわせて接合する。次いで、同図（ｃ）に示すように、金属板９１’の一部を機械加工によって切削し、空隙部９３を形成する。その後は、同図（ｄ）に示すように、金属板９１’の下面にハンダ層９２’を形成してから、同図（ｅ）に示すように、金属板９０’，９１’を切断する。このことにより、チップ抵抗器Ｂが製造される。
【０００４】
【特許文献１】
特開２００２−５７００９号公報（図１、図３）
【０００５】
【発明が解決しようとする課題】
しかしながら、チップ抵抗器Ｂには、次に述べるように、製造時や使用時における抵抗値の誤差の低減などに対する要請に的確に応えることができず、改善すべき点があった。
【０００６】
第１に、チップ抵抗器Ｂを利用した電流の測定は、チップ抵抗器Ｂに電流が通電されたときのチップ抵抗器Ｂの両端における電圧降下を測定し、その測定値を換算して電流値を求めることによってなされる。このときの通電により抵抗体９０には発熱が生じる。この発熱量に対してチップ抵抗器Ｂの放熱が充分になされない場合には、チップ抵抗器Ｂの温度上昇が適切に抑制されない。チップ抵抗器Ｂの抵抗値は、その温度に依存するものであり、上記温度上昇に起因して上記抵抗値が変動する。このような変動は、上記換算の結果に誤差を生じさせ、電流の測定精度を低下させる一因となる。さらに、チップ抵抗器Ｂは、他のチップとともに回路基板に高密度に実装されることが多い。チップ抵抗器Ｂが過度な温度上昇により高温となった場合には、これら周辺に実装された他のチップや回路基板などが加熱され、これらのチップが動作不良を生じたり基板の導通が不安定になるなどの虞れがあった。
【０００７】
第２に、チップ抵抗器Ｂは、さらなる低抵抗化の要請が強い。これに加えて、実装時の衝撃などによるチップ抵抗器Ｂの損傷を防ぐために、その強度向上が望まれている。これらに対する一手段として、抵抗体９０の幅や厚みを大きくすることにより、その断面積を増加させて、低抵抗化と高強度化とを図ることが考えられる。しかしながら、抵抗体９０の幅を大きくすることは、チップ抵抗器Ｂを実装するためのスペースを大きくすることとなり、回路基板の高密度化の妨げとなるため好ましくない。一方、抵抗体９０の厚みを大きくすることは、回路基板の高密度化には影響を与えることは無いが、抵抗体９０の断面形状が偏平状から矩形状へと近づくこととなるために、発熱に関係する体積の増加率に対して、放熱に関係する表面積の増加率が少なく、上述した温度上昇に起因する不具合を助長する虞れがある。
【０００８】
第３に、上記従来技術においては、チップ抵抗器Ｂの製造作業が煩雑であり、その生産性が悪いという不具合もあった。より具体的には、従来においては、空隙部９３の形成は、機械加工により行なっている。また、その加工は、一対の電極９１間の寸法ｓ５を精度良く仕上げなければならない。このため、上記加工はかなり慎重に行なう必要があり、チップ抵抗器Ｂの生産性が悪くなっていた。さらに、上記従来技術においては、切削加工を経てチップ抵抗器Ｂが製造されるために、その切削加工精度に起因する電極間抵抗値の誤差も発生していた。
【０００９】
本願発明は、上記した事情のもとで考え出されたものであって、通電に伴う発熱に起因して、電流の測定精度が劣ったり、回路が誤作動するといった不具合が生じることを抑制するとともに、低抵抗化および高強度化することが可能なチップ抵抗器を提供することをその課題としている。また、本願発明は、そのようなチップ抵抗器を効率良く、かつ適切に製造することが可能なチップ抵抗器の製造方法を提供することを他の課題としている。
【００１０】
【発明の開示】
上記課題を解決するため、本願発明では、次の技術的手段を講じている。
【００１１】
本願発明の第１の側面によって提供されるチップ抵抗器は、チップ状の抵抗体と、この抵抗体の表裏いずれかの片面に間隔を隔てて設けられた複数の電極と、を備えているチップ抵抗器であって、上記抵抗体の一部が上記複数の電極とは反対側に折り曲げられた折り曲げ片を備えていることを特徴としている。
【００１２】
このような構成によれば、通電により抵抗体に発生した熱が、この折り曲げ片にも伝えられて、その表面から放熱されることとなる。これにより、抵抗体からの放熱に寄与する表面積が大きいものとなって、放熱の効率が向上されるために、通電により上記抵抗体に発熱が生じても、その放熱を充分に行なうことが可能である。したがって、上記抵抗体の温度は過度に上昇することが無く安定化されるために、抵抗値が大きく変動することが無く、たとえば電流の測定精度の低下を抑制することができる。また、上記チップ抵抗器の周囲に実装されたチップや回路基板が加熱されることによる不具合を防止することが可能である。しかも、折り曲げ加工により形成された上記折り曲げ片は、上記抵抗体と一体構造を有するものであるために、たとえば接合手段により形成された場合のように、接合面などが存在しない。したがって、折り曲げ片を介した伝熱が、接合面の存在によって妨げられることが無く、チップ抵抗器の放熱を高効率なものとするのに有利である。さらに、上記チップ抵抗器の占有面積の増加を伴わず、または少なくしつつ、上記抵抗体の断面積を大きくして、低抵抗化と高強度化とが可能な構成とすることができる。
【００１３】
好ましい実施の形態においては、上記折り曲げ片は、上記抵抗体の一部を、略９０度、もしくはそれを超える角度に折り曲げて形成されたものである。
【００１４】
このような構成によれば、上記チップ抵抗器が実装されたときには、上記折り曲げ片が、このチップ抵抗器から隣接する他のチップに向かう方向に大きく突出することが無い。したがって、チップ抵抗器の放熱に寄与する表面積を大きくしつつ、チップ抵抗器の実装密度を高めるのに好適である。
【００１５】
好ましい実施の形態においては、上記折り曲げ片は、上記複数の電極が離間する方向に延びている。
【００１６】
好ましい実施の形態においては、上記折り曲げ片は、上記抵抗体のうち上記複数の電極が離間する方向と交差する方向における両端部のそれぞれを折り曲げることにより形成されている。
【００１７】
このような構成によれば、上記複数の電極が離間する方向において、上記抵抗体の断面積が均一で大きいものとなる。したがって、上記抵抗体は、通電される方向の全長において大きな断面積を有するものとなるために、上記チップ抵抗器の低抵抗化を効果的に図ることができる。また、上記抵抗体は、断面積の増加に加えて、従来技術によるチップ抵抗器の断面のような矩形状の形状に比べて剛性の高い断面形状となるために、チップ抵抗器に力が加えられた場合に抵抗体に生じる曲げ歪みや曲げ応力を抑制することが可能であり、高強度なものとすることができる。さらに、これら低抵抗化および高強度化などの効果を発揮しつつ、上述した通り、表面積の増大により放熱の効率が向上されているために、上記抵抗器の温度上昇による不具合を助長することも無い。
【００１８】
好ましい実施の形態においては、上記折り曲げ片は、上記抵抗体のうち上記複数の電極が離間する方向における両端部のそれぞれを折り曲げることにより形成されている。
【００１９】
好ましい実施の形態においては、上記電極上には、ハンダ層が形成されている。
【００２０】
好ましい実施の形態においては、上記抵抗体のうち、上記複数の電極が離間する方向における両端面に、上記ハンダ層と一体または別体のハンダ層が形成されている。さらに、上記抵抗体のうち上記電極が設けられている面とは反対側に位置する面にハンダ層が形成されている構成とすることができる。
【００２１】
このような構成によれば、チップ抵抗器の実装時には、折り曲げ片のうち対となって導通される上記電極どうしが離間している方向の両端面と、上記電極が設けられている面とは反対側に位置する面とに形成されたハンダ層を利用して、チップ抵抗器の上記電極どうしが離間している方向の両端部を包み込むような形状を有するハンダフィレットを形成することが可能である。したがって、上記ハンダフィレットの存在により、上記チップ抵抗器への通電時に発生する熱が上記ハンダフィレットを介して回路基板にも伝わりやすくなり、チップ抵抗器の温度上昇をさらに抑制することが期待できる。また、上記チップ抵抗器のハンダ接合強度が高まるとともに、上記ハンダフィレットの有無に基づいてチップ抵抗器の実装の適否を容易に判断することができる。
【００２２】
好ましい実施の形態においては、上記折り曲げ片は、上記抵抗体の中心寄りにさらに折り曲げられている。
【００２３】
このような構成によれば、上記チップ抵抗器は、嵩張ること無くその表面積と断面積とをさらに大きいものとすることが可能である。したがって、上記チップ抵抗器の実装密度を高めつつ、放熱の効率を向上させるとともに、低抵抗化、および高強度化を図るのに好適である。また、上記ハンダフィレットをより大きくし、その効果を高めるのに好適である。
【００２４】
好ましい実施の形態においては、上記抵抗体の上記電極が設けられた面のうち、上記電極間の領域を覆う絶縁層を備えている。
【００２５】
好ましい実施の形態においては、上記絶縁層の厚みは、上記電極と略同一である。上記絶縁層は、厚膜印刷により形成することができる。
【００２６】
このような構成によれば、上記抵抗体の複数の電極間の領域は絶縁層によって覆われているために、チップ抵抗器を面実装する際のハンダ付けにおいて、これらの領域にハンダが誤って付着することを防止可能である。したがって、抵抗体への不当なハンダ付着に起因して抵抗値に大きな誤差が発生しないようにすることができる。また、上記絶縁層は上記電極と略同一の厚みであるために、上記抵抗体は上記電極と上記絶縁層とによって支持された構造を有するものとなる。したがって、実装時に衝撃力を受けた場合などにも、過度な曲げ変形を生じることが無く、容易に損傷しないものとすることができる。さらに、厚膜印刷によれば、上記絶縁層の幅を所望の幅に正確に仕上げることができる。したがって、後述する製造方法によれば、上記電極の間隔については高い精度で所望の寸法に設定することが可能となり、チップ抵抗器の定格抵抗値を目標抵抗値に近づけるのに好適となる。
【００２７】
本願発明の第２の側面により提供されるチップ抵抗器の製造方法は、バー状の抵抗体材料の表面または裏面に間隔を隔てて並んだ複数の電極が設けられているバー状の抵抗器集合体を作製する工程と、上記抵抗器集合体の長手方向に延びる端部を折り曲げることにより、この抵抗器集合体に折り曲げ片を設ける工程と、上記抵抗器集合体をその長手方向の複数箇所において切断することにより、複数のチップ抵抗器に分割する工程と、を有していることを特徴としている。
【００２８】
このような構成によれば、本願発明の第１の側面によって提供されるチップ抵抗器を効率良く、適切に製造することができる。とくに、上記折り曲げ片の形成は、複数個分のチップ抵抗器に相当する抵抗器集合体に対して一括して行なっているために、その作業効率がよい。また、接合面などが存在しない、高強度で伝熱性に優れる折り曲げ片を形成するのに好適である。
【００２９】
好ましい実施の形態においては、上記バー状の抵抗器集合体を作製する工程は、プレート状の抵抗体材料の表面または裏面に、間隔を隔てて並んだ複数の導電層を形成する工程と、これらの工程の後に上記抵抗体材料を上記バー状の抵抗体材料に分割する工程と、を含んでいる。このような構成によれば、１つのプレート状の抵抗体材料から多数個のチップ抵抗器を製造することが可能となり、生産性が良い。
【００３０】
本願発明の第３の側面により提供されるチップ抵抗器の製造方法は、プレート状またはバー状の抵抗体材料の表面または裏面に、上記導電層を形成する工程と、上記抵抗体材料をチップ状の複数の抵抗体に、打ち抜きまたは切断により分割する工程と、上記チップ状の抵抗体の端部を折り曲げることにより、この抵抗体に折り曲げ片を設ける工程と、を有することを特徴としている。
【００３１】
このような構成によっても、プレート状またはバー状の抵抗体材料から、本願発明の第１の側面により提供されるチップ抵抗器を、適切にしかも効率良く生産することができる。また、分割する工程の後に折り曲げ片を形成するために、折り曲げ片が上記分割する工程によって、歪められることを回避することができる。
【００３２】
好ましい実施の形態においては、上記導電層を形成する工程は、上記抵抗体材料の表面または裏面に絶縁層をパターン形成する工程と、上記絶縁層が形成された面のうち、上記絶縁層が形成されていない領域に、導電層を形成する工程と、を含んでいる。上記絶縁層のパターン形成は、厚膜印刷により行なうことができる。このような構成によれば、上記絶縁層と上記導電層とを正確な寸法に、しかも効率良く形成することができる。
【００３３】
好ましい実施の形態においては、上記導電層の形成は、メッキ処理により行なう。このような構成によれば、上記導電層の厚みを正確に仕上げることができる。
【００３４】
本願発明のその他の特徴および利点は、添付図面を参照して以下に行う詳細な説明によって、より明らかとなろう。
【００３５】
【発明の実施の形態】
以下、本願発明の好ましい実施の形態につき、図面を参照して具体的に説明する。
【００３６】
図１〜図３は、本願発明に係るチップ抵抗器の一例を示している。これらの図によく表われているように、本実施形態のチップ抵抗器Ａ１は、２つの折り曲げ片１ａを有する抵抗体１、第１および第２の絶縁層２Ａ，２Ｂ、および一対の電極３を具備している。
【００３７】
図１によく表われているように、抵抗体１は、各部の厚みが一定で、その断面が上方に開いたコの字状の形状を有しており、かつ平面視長矩形状のチップ状の形態をもっている。その具体的な材質としては、Ｎｉ−Ｃｕ系合金、Ｃｕ−Ｍｎ系合金、Ｎｉ−Ｃｒ系合金などが挙げられるが、これらに限定されるものではなく、チップ抵抗器Ａ１のサイズと目標抵抗値に見合った抵抗率をもつ金属材料を適宜選択すればよい。
【００３８】
２つの折り曲げ片１ａは、抵抗体１の短手方向における両端部において起立するように設けられている。これらの折り曲げ片１ａは、後述するように、抵抗体１の短手方向における両端部を上方に向けて９０度に折り曲げることにより形成されている。抵抗体１の断面積は、長手方向について均一である。
【００３９】
第１および第２の絶縁層２Ａ，２Ｂは、いずれもエポキシ樹脂系の樹脂製の塗装膜であり、厚膜印刷により形成される。第１の絶縁層２Ａは、抵抗体１の裏面１０ｂのうち、一対の電極３間の領域の全体と、２つの折り曲げ片１ａのそれぞれの外面１０ｃとを覆うように設けられている。第２の絶縁層２Ｂは、抵抗体１の表面１０ａと、２つの折り曲げ片１ａのそれぞれの内面１０ｄとを覆うように設けられている。第１および第２の絶縁層２Ａ，２Ｂは、樹脂製の塗装膜により形成されたものであり、抵抗体１に強固に接着し、かつ柔軟性に優れており、後述するように折り曲げ片１ａを形成するために抵抗体１が折り曲げられることによっても、抵抗体１から剥がれたり、破損する虞れが少ない。
【００４０】
一対の電極３は、抵抗体１の裏面１０ｂにおいて、この抵抗体１の長手方向に離間して設けられている。これら一対の電極３は、後述するように、たとえば抵抗体１に銅メッキを施すことにより形成されたものである。図２によく表われているように、各電極３の内端面は、第１の絶縁層２Ａの両端面２０に接している。すなわち、一対の電極３の間の寸法は、第１の絶縁層２Ａの両端面２０によって規定されており、第１の絶縁層２Ａの幅ｓ１と同一の寸法となっている。本実施形態のチップ抵抗器Ａ１は、一対の電極３間の抵抗が、１ｍΩ〜１００ｍΩ程度の低抵抗のものとして構成されている。各電極３の下面には、ハンダ付け性を良好にするためのハンダ層３９が積層して形成されている。
【００４１】
次に、チップ抵抗器Ａ１の製造方法の一例について、図４〜図６を参照して説明する。
【００４２】
まず、図４（ａ）に示すように、抵抗体１の材料となる金属製のプレート１Ａを準備する。このプレート１Ａは、抵抗体１を複数個取り可能な縦横のサイズを有するものであり、全体にわたって厚みの均一化が図られたものである。同図（ｂ）に示すように、このプレート１Ａの上向きとした片面１０ａの全体または略全体には、第２の絶縁層２Ｂ’を形成する。この第２の絶縁層２Ｂ’の形成は、たとえば、エポキシ樹脂をベタ塗り状に厚膜印刷して行なう。この第２の絶縁層２Ｂ’の表面に標印を施す工程を行なってもよい。
【００４３】
次いで、同図（ｃ）に示すように、プレート１Ａを裏表反転させて上向きとした面１０ｂに、第１の絶縁層２Ａ’を複数の矩形状をした孔部２１が縦横に規則的に配置されるようにしてパターン形成する。この第１の絶縁層２Ａ’の形成は、第２の絶縁層２Ｂ’の形成に用いたのと同一の樹脂および装置を用いて厚膜印刷により行なう。この厚膜印刷によれば、第１の絶縁層２Ａ’に設けられた複数の孔部２１のサイズ、およびこれら複数の孔部２１間の寸法を、正確に仕上げることができる。
【００４４】
プレート１Ａの面１０ｂのうち、第１の絶縁層２Ａ’によって覆われていない領域には、図５（ｄ）に示すように、導電層３Ａ’とハンダ層３９Ａ’とを形成する。導電層３Ａ’は電極３の原形となる部分であり、その形成はたとえば銅メッキにより行なう。メッキ処理によれば、導電層３Ａ’と第１の絶縁層２Ａ’との間に隙間を生じさせないようにして、導電層３Ａ’を正確な寸法で形成することが可能である。また、導電層３Ａ’の厚みを所定の寸法に正確に仕上げることができる。ハンダ層３９Ａ’の形成は、たとえばメッキ処理によって行なう。
【００４５】
上記したメッキ処理後には、図５（ｄ）に示されるプレート１Ａを、同図（ｅ）に示すように、仮想線Ｃ１で示す箇所を切断することにより分割する。これにより、チップ抵抗器Ａ１が直列に繋がった構成に相当するバー状の抵抗器集合体Ａ１’ａ（図６（ｆ）に拡大して示す）が得られる。この作業における仮想線Ｃ１のピッチは、抵抗器集合体Ａ１’ａの幅を決定するものであり、この幅はこの後の切断作業により得られるチップ抵抗器Ａ１の幅となる。チップ抵抗器Ａ１の抵抗値は、この幅によって規定されるものであり、この抵抗値を高精度なものとするために、仮想線Ｃ１で示された箇所の切断は精度良く行なわれる。本実施形態においては、一回の上記切断が、複数個のチップ抵抗器Ａ１を精度良く切断することに相当するために、高精度を要する切断作業を少ない回数とすることが可能であり、作業効率の向上に好適である。なお、プレート１Ａを切断する手段としては、たとえば、シャー（せん断機）やロータリ式カッターなどを用いることができる。
【００４６】
抵抗器集合体Ａ１’ａを製造した後には、図６（ｇ）に示すように、この抵抗器集合体Ａ１’ａの短手方向における両端部を折り曲げることにより、折り曲げ片を形成する。この作業はたとえば、同図（ｆ）に示す抵抗器集合体Ａ１’ａの上記両側端部を仮想線Ｃ２において、導電層３Ａ’とは反対側に向けて、９０度に折り曲げることにより行なう。これにより、２つの折り曲げ片１ａ’を備える抵抗器集合体Ａ１’ａが得られる。この２つの折り曲げ片１ａ’は、この後の切断作業によって得られるチップ抵抗器Ａ１の２つの折り曲げ片１ａとなるものである。このように抵抗器集合体Ａ１’ａの段階で折り曲げを行なえば、複数のチップ抵抗器Ａ１の各折り曲げ片１ａに相当する部分の形成が一括して行なわれることとなるために、折り曲げ作業の回数が少なくなり、作業効率がよい。
【００４７】
その後、図６（ｈ）に示すように、抵抗器集合体Ａ１’ａを切断して複数のチップに分割していく。この作業は、たとえば各導電層３Ａ’を抵抗器集合体Ａ１’ａの長手方向において分断するように、同図仮想線Ｃ３で示す箇所を切断することにより行なう。これにより、導電層３Ａ’は、チップ抵抗器Ａ１の電極３となるとともに、チップ抵抗器Ａ１の短手方向における両端部には２つの折り曲げ片１ａが形成されることとなり、１つの抵抗器集合体Ａ１’ａから複数のチップ抵抗器Ａ１が好適に製造される。
【００４８】
図７および図８は、打ち抜きによる製造方法の一例を示している。まず、上述した打ち抜きによる製造方法の例と同様の手順により得られた、図５（ｄ）に示されるプレート１Ａを、図７に示すように、打ち抜き加工（ブランキング）を繰り返して施し、プレート１Ａを複数のチップ状の抵抗体１Ａ’に分割していく。このような打ち抜き作業を繰り返して行なう場合、１つの打ち抜き用型（図示略）を繰り返して使用する。
【００４９】
上記打ち抜き作業においては、左右方向において隣り合う２つの電極３Ａ’およびハンダ層３９Ａ’のそれぞれが２分割されるように、プレート１Ａを打ち抜く。このことによって、チップ状の抵抗体１Ａ’の両端部には、電極３、およびハンダ層３９が形成されることとなり、チップ抵抗器Ａ１の基となるチップ抵抗器用部材Ａ１’ｂが得られることとなる。プレート１Ａの打ち抜きは、同図の仮想線で示す複数の打ち抜き領域が微小な間隔ｓ２を隔ててマトリクス状に並んでいくように進めればよい。このチップ抵抗器用部材Ａ１’ｂの一対の電極３は、それらが離間している方向と垂直な方向における抵抗体１Ａ’の両端面から離れて設けられている。
【００５０】
上記打ち抜き作業により、図８（ａ）に示すチップ抵抗器用部材Ａ１’ｂが得られた後には、チップ状の抵抗体１Ａ’の一つの電極３が離間している方向と交差する方向における両端部を折り曲げることにより、２つの折り曲げ片１ａを形成する。この作業はたとえば、チップ状の抵抗体１Ａ’の上記両端部を仮想線Ｃ４において、一対の電極３とは反対側に向けて、９０度に折り曲げることにより行なう。これにより、同図（ｂ）に示すように、２つの折り曲げ片１ａを備えるチップ抵抗器Ａ１が得られる。
【００５１】
プレート１Ａを複数の抵抗体１に分割する手段として、打ち抜き手段を採用すれば、抵抗体１の縦横の寸法をほとんど誤差の無い正確な寸法に仕上げることができる。また、打ち抜きを用いた分割する工程の後に折り曲げ片１ａを形成するために、折り曲げ片１ａが一旦形成された後は、上記分割する工程などによって、折り曲げ片１ａに無理な力が加えられることが無い。したがって折り曲げ片１ａが歪められることを回避することができる。
【００５２】
上述したいずれの製造方法においても、従来技術とは異なり、金属板の一部に切削加工を施すことによって一対の電極を形成するといった必要がなく、さらに折り曲げ片１ａの形成においても切削加工は不要である。したがって、製造作業の効率が良く、チップ抵抗器Ａ１のコストをより低減することができる。
【００５３】
次にチップ抵抗器Ａ１の作用について説明する。
【００５４】
本実施形態においては、チップ抵抗器Ａ１に通電されることにより、抵抗体１に発熱が生じた場合、この熱は、抵抗体１から折り曲げ片１ａへと伝えられ、折り曲げ片１ａの表面から放熱される。これにより、抵抗体１に発生した熱が効果的に放熱されることとなり、チップ抵抗器Ａ１の温度が過度に上昇することが無く、その温度は安定したものとなる。したがって、この温度に依存する性質を有するチップ抵抗器Ａ１の抵抗値は、大きく変動することが無く、チップ抵抗器Ａ１の性能を安定化させることができる。また、チップ抵抗器Ａ１が高温となることにより、その周辺に実装された他のチップや、回路基板が容易には加熱されない。したがって、これらのチップに誤動作を招くことや、回路基板の導通不良などの不具合を抑制することができる。
【００５５】
また、折り曲げ片１ａは、抵抗体１を折り曲げることにより形成されており、抵抗体１と一体構造である。したがって、抵抗体１から折り曲げ片１ａへの伝熱が接合面の存在などにより妨げられることが無く、チップ抵抗器Ａ１の放熱を高効率なものとするのに有利である。さらに、２つの折り曲げ片１ａは、９０度に折り曲げることにより形成されているために、側方に大きく突出することが無い。したがって、上記放熱の効果を向上させつつ、チップ抵抗器Ａ１の実装密度を高めることができる。
【００５６】
本実施形態においては、２つの折り曲げ片１ａが一対の電極３が離間している方向に延びており、この方向における抵抗体１の断面積が均一で大きいものとなっている。抵抗体１の断面積は、部分的に小さくなる箇所が無く、通電される方向の全長において大きいものとなるために、チップ抵抗器Ａ１の低抵抗化を効果的に図ることができる。また、上記断面積の増加に加えて、上記方向の断面は矩形状の形状に比べて剛性の高い形状となるために、チップ抵抗器Ａ１に力が加えられた場合に抵抗体１に生じる曲げ歪みや曲げ応力を抑制することが可能であり、高強度なものとすることができる。しかも、上述したように２つの折り曲げ片１ａは抵抗体１と一体構造とされているために、たとえば溶接欠陥などのように接合部が存在する場合に強度低下の虞れとなり得るものが無く、チップ抵抗器Ａ１の高強度化に好適である。
【００５７】
このチップ抵抗器Ａ１は、所望の実装対象領域に対し、たとえばハンダリフローの手法を用いて面実装される。このハンダリフローの手法では、実装対象領域に設けられている端子上に各電極３を接触させるようにチップ抵抗器を装填した状態でリフロー炉を利用して加熱する。
【００５８】
上記面実装時には、溶融ハンダが上記端子からはみ出す場合がある。ところが、抵抗体１の裏面１０ｂの電極３間の領域は、第１の絶縁層２Ａにより覆われているために、抵抗体１のこの領域にハンダが直接付着することはない。したがって、抵抗体１への不当なハンダ付着に起因して抵抗値に大きな誤差が発生しないようにし、チップ抵抗器Ａ１を利用して構成される電気回路に大きな狂いが生じるといったことを適切に解消することができる。
【００５９】
また、このチップ抵抗器Ａ１の表面１０ａ，１０ｃ，１０ｄは、第１および第２の絶縁層２Ａ，２Ｂにより覆われている。このような構成によれば、この表面１０ａ，１０ｃ，１０ｄと他の部材や機器との間に不当な電気導通が生じることも防止される。
【００６０】
このチップ抵抗器Ａ１においては、既述したとおり、抵抗体１の縦横の寸法は、所望の寸法に高い精度で仕上げることが可能である。抵抗体１の厚みについては、プレート１Ａの段階から正確に仕上げることができる。また、一対の電極３間の寸法ｓ１は、厚膜印刷によってパターン形成される絶縁層２Ａの形成工程において規定することが可能であり、その寸法精度を高めることも容易に達成することができる。したがって、チップ抵抗器Ａ１の定格抵抗値を、目標抵抗値に近づけるのに好適である。
【００６１】
また、厚膜印刷によって形成される第１の絶縁層２Ａと、メッキ処理によって形成される電極３は、ともに所定の厚みに精度良く仕上げられ、これらの厚みを略同一とすることが可能である。したがって、抵抗体１に過大な曲げ応力が発生することを効果的に抑制することができる。
【００６２】
図９〜図１７は、本願発明に係るチップ抵抗器の他の実施形態を示している。これらの図において、上記実施形態と同一または類似の要素には、上記実施形態と同一符号を付している。
【００６３】
図９〜図１１に示すチップ抵抗器Ａ２は、２つの折り曲げ片１ａがそれらの中央付近でさらに折り曲げられており、その長手方向の断面が上向きに開いたＣ字状の形状を有する構成とされている。さらに、第１の絶縁層２Ａは、一対の電極３の厚みと同一となっている。
【００６４】
より具体的には、まず２つの折り曲げ部１ａは、その中央付近において、抵抗体１の中心に向けて９０度に折り曲げられている。本実施形態によれば、抵抗体１の表面積をさらに大きくすることができる。したがって、２つ折り曲げ部１ａからの放熱がさらに促進され、チップ抵抗器Ａ２の温度がより安定化される。また、図１１によく表われているように、このチップ抵抗器Ａ２の長手方向における断面積は、チップ抵抗器Ａ１と比較してさらに大きくされており、高い剛性なものとなっている。したがって、チップ抵抗器Ａ２のさらなる低抵抗化と高強度化が期待できる。折り曲げ部１ａは中央付近において折り曲げられていることにより、抵抗体１の断面積および表面積が増加されているにもかかわらず、チップ抵抗器Ａ２の高さの増加が抑えられているために、チップ抵抗器Ａ２は嵩張ることが無く、その設置スペースの増大を抑制することができる。
【００６５】
また、図１０によく表われているように、チップ抵抗器Ａ２においては、一対の電極３間の領域を覆う第１の絶縁層２Ａの厚みｔ２は、一対の電極３の厚みｔ１と同じとされている。本実施形態によれば、たとえば抵抗体１を曲げるような力がチップ抵抗器Ａ２に加えられた場合にも、抵抗体１は一対の電極３と第１の絶縁層２Ａとによって支持されることとなる。したがって、チップ抵抗器Ａ２に加えられる力が、一対の電極３と第１の絶縁層２Ａとによって適切に負担されて、チップ抵抗器Ａ２を損傷を受けにくいものとすることができる。
【００６６】
図１２および図１３に示すチップ抵抗器Ａ３は、２つの折り曲げ部１ａがチップ抵抗器Ａ３の長手方向における両端部に起立するように設けられており、これら折り曲げ部１ａの両端面１０ｅを覆うハンダ層３９が設けられている。
【００６７】
より具体的には、２つの折り曲げ部１ａは抵抗体１の長手方向における両端部を、電極３とは反対側に向けて９０度に折り曲げることにより形成されている。また、ハンダ層３９は、電極３の下面および側面と、２つ折り曲げ片１ａのそれぞれの側面１０ｅとを覆うように設けられている。
【００６８】
本実施形態においても、２つの折り曲げ部１ａにより抵抗体１に発生した熱を効果的に放熱し、チップ抵抗器Ａ３の温度を安定化させることができる。また、チップ抵抗器Ａ３が面実装されるときには、図１２および図１３の仮想線で示すようなハンダフィレットＨｆが適切に形成される。したがって、ハンダフィレットＨｆの存在により、チップ抵抗器Ａ３への通電時に発生する熱がハンダフィレットＨｆを介して回路基板にも伝わりやすくなり、チップ抵抗器Ａ３の温度上昇をさらに抑制することが期待できる。また、チップ抵抗器Ａ３のハンダ接合強度が高まるとともに、ハンダフィレットＨｆの有無に基づいてチップ抵抗器の実装の適否を容易に判断することができる。
【００６９】
図１４および図１５に示すチップ抵抗器Ａ４は、２つの折り曲げ部１ａがその中央部で折り曲げられた形状とされており、これら折り曲げ部１ａの側面１０ｅおよび上面１０ｆがハンダ層３９により覆われた構成とされている。
【００７０】
本実施形態においては、図１４および図１５の仮想線で示すように、２つの折り曲げ部１ａのそれぞれの側面１０ｅおよび上面１０ｆを利用して、チップ抵抗器Ａ４の長手方向における両端部を包み込むようなハンダフィレットＨｆが形成される。したがって、ハンダフィレットＨｆの存在により抵抗体１からの放熱がさらに促進されて、チップ抵抗器Ａ４の温度の安定化に好適である。また、チップ抵抗器Ａ４のハンダ接合をさらに高強度なものとすることができる。
【００７１】
図１６および図１７に示すチップ抵抗器Ａ５，Ａ６は、上述したチップ抵抗器Ａ３，Ａ４と同様に２つの折り曲げ部１ａがチップ抵抗器Ａ３の長手方向における両端部に設けられているものであって、一対の電極３が抵抗体１の裏面１０ｂの一部と両端面１０ｅとを覆うように構成されている。このような構成によっても、上述したチップ抵抗器Ａ３，Ａ４の場合と同様の効果を得ることができる。また、一対の電極３はメッキ処理により形成されているために、折り曲げ部１ａを形成するための折り曲げの工程によっても、抵抗体１から剥離する虞れが少ない。
【００７２】
上記したチップ抵抗器Ａ１〜Ａ６はいずれも２つの折り曲げ片１ａを備えているが、本願発明はこれに限らず、たとえば折り曲げ片を１つだけ備える構成としてもよい。また、上記実施形態のように長手方向または短手方向に一体となって延びる折り曲げ片に限らず、たとえば折り曲げ片の長さが、それが延びる方向におけるチップ抵抗器の長さよりも短いものであってもよいし、このような折り曲げ片が、一定の方向において複数個配置された構成としてもかまわない。さらに、これらの折り曲げ片のうちのいくつかを、抵抗体の中心寄りにさらに折り曲げた折り曲げ片としてもよい。
【００７３】
上記実施形態においては一対の電極３を備えた構成とされているが、本願発明はこれに限らない。たとえば、二対（４つ）の電極を設けた構成とすることができる。もちろん、二対以上の対をなすようにそれ以上の数の電極３を設けた構成としてもかまわない。電極の総数を多くした場合、たとえばそれらのうちの一部の電極のみを使用するといった使用法も可能である。
【００７４】
本願発明に係るチップ抵抗器の各部の具体的な構成は、上記実施形態に限らず、種々に設計変更自在である。本願発明に係るチップ抵抗器は、低抵抗のものとして用いられるのに好適であるが、その抵抗値の具体的な値は限定されない。
【００７５】
上記した実施形態における製造方法は、先ずプレート状の抵抗体材料を準備し、これを分割して複数のチップ抵抗器が得られる構成とされているが、本願発明に係る製造方法はこれに限らない。たとえば、プレート状の抵抗体材料を用いるのに代えて、当初からバー状の抵抗体材料を用いてもかまわない。このような構成によれば、製造過程における切断の回数を少なくすることができる。
【図面の簡単な説明】
【図１】本願発明に係るチップ抵抗器の一例を示す斜視図である。
【図２】図１のＩＩ−ＩＩ断面図である。
【図３】図１のＩＩＩ−ＩＩＩ断面図である。
【図４】（ａ）〜（ｃ）は、図１に示すチップ抵抗器の製造工程の一例の一部を示す斜視図である。
【図５】（ｄ），（ｅ）は、図１に示すチップ抵抗器の製造工程の一例の一部を示す斜視図である。
【図６】（ｆ）〜（ｈ）は、図１に示すチップ抵抗器の製造工程の一例の一部を示す斜視図である。
【図７】図１に示すチップ抵抗器の製造工程の他の例の一部を示す斜視図である。
【図８】（ａ），（ｂ）は図１に示すチップ抵抗器の製造工程の他の例の一部を示す斜視図である。
【図９】本願発明に係るチップ抵抗器の他の例を示す斜視図である。
【図１０】図９のＸ−Ｘ断面図である。
【図１１】図９のＸＩ−ＸＩ断面図である。
【図１２】本願発明に係るチップ抵抗器の他の例を示す斜視図である。
【図１３】図１２のＸＩＩＩ−ＸＩＩＩ断面図である。
【図１４】本願発明に係るチップ抵抗器の他の例を示す斜視図である。
【図１５】図１４のＸＶ−ＸＶ断面図である。
【図１６】本願発明に係るチップ抵抗器の他の例を示す断面図である。
【図１７】本願発明に係るチップ抵抗器の他の例を示す断面図である。
【図１８】従来のチップ抵抗器の一例を示す斜視図である。
【図１９】（ａ）〜（ｅ）は、従来のチップ抵抗器の製造方法の一例を示す説明図である。
【符号の説明】
Ａ１，Ａ２，Ａ３，Ａ４，Ａ５，Ａ６  チップ抵抗器
１  抵抗体
１Ａ  プレート
２Ａ  第１の絶縁層
２Ｂ  第２の絶縁層
３  電極
１０ａ  表面（抵抗体の）
１０ｂ  裏面（抵抗体の）
【図１】
2004319874.tif 000003
【図２】
2004319874.tif 000004
【図３】
2004319874.tif 000005
【図４】
2004319874.tif 000006
【図５】
2004319874.tif 000007
【図６】
2004319874.tif 000008
【図７】
2004319874.tif 000009
【図８】
2004319874.tif 000010
【図９】
2004319874.tif 000011
【図１０】
2004319874.tif 000012
【図１１】
2004319874.tif 000013
【図１２】
2004319874.tif 000014
【図１３】
2004319874.tif 000015
【図１４】
2004319874.tif 000016
【図１５】
2004319874.tif 000017
【図１６】
2004319874.tif 000018
【図１７】
2004319874.tif 000019
【図１８】
2004319874.tif 000020
【図１９】
2004319874.tif 000021